(57)【要約】      （修正有）【課題】十分な強度を持つデータ記憶装置のコネクタとそのコネクタを用いたデータ記憶装置を提供する。【解決手段】回路基板と外部のインターフェイスと接続するコネクタ２０とを有し、コネクタ２０は、コネクタ２０にかかる力に抗し、回路基板にコネクタ２０が配設されるときに回路基板に設けられた穴にうめこまれる突起物であるボス２３１を、回路基板の主面に垂直な方向とコネクタ２０がインターフェイスと接続される方向とに垂直な方向の中心に対して両側に有し、ボス２３１は、インターフェイスとコネクタ２０とを接続する方向の長さが、回路基板の主面に垂直な方向とコネクタ２０がインターフェイスと接続される方向とに垂直な方向の長さより長い長円の形状を有し、回路基板の主面に垂直な方向に突起している第２突出部２３に設けられる。【選択図】図３
2007149434.tif 000002
【特許請求の範囲】
【請求項１】
回路基板と前記回路基板の実装面に実装されたコネクタとを備えるデータ記憶装置であって、前記コネクタは、
前記回路基板に接続される接続端子と、
前記接続端子を保持するコネクタ基部と、
前記実装面の法線方向と前記コネクタの接続方向とに垂直な方向における前記コネクタ本体部の中心に対する両側にそれぞれ設けられたボスと、を備え、
前記ボスのそれぞれは、前記法線方向に突起して前記回路基板に設けられた穴に嵌合し、
前記接続方向における前記ボスの長さは、前記法線方向と前記接続方向とに垂直な方向における長さより長い、
データ記憶装置。
【請求項２】
前記ボスは、前記接続方向における両側端面が曲面である、請求項１に記載のデータ記憶装置。
【請求項３】
前記ボスは、前記実装面に平行で前記接続方向と垂直な方向において、前記接続端子より基板端側にある、請求項１に記載のデータ記憶装置。
【請求項４】
前記コネクタ本体部は、前記回路基板と前記コネクタとの位置関係を決定するためのラッチが設けられている、請求項１に記載のデータ記憶装置。
【請求項５】
前記ラッチは、前記回路基板上に平行で前記接続方向と垂直な方向における、前記コネクタ基部の中心に設けられている、請求項４に記載のデータ記憶装置。
【請求項６】
前記コネクタは、前記回路基板に設けられた穴に嵌合することによって、前記コネクタとの位置関係を決定するための突起部を有する、請求項１に記載のデータ記憶装置。
【請求項７】
前記コネクタ本体部は、前記回路基板と前記コネクタとの位置関係を決定するためのラッチをさらに有し、
前記突起部は、前記接続方向において、前記ラッチとずれた位置にある、請求項５に記載のデータ記憶装置。
【請求項８】
前記ボスは、前記回路基板上に平行で前記接続方向と垂直な方向における、前記コネクタ基部の中心に対して対称な位置に設けられている、請求項１に記載のデータ記憶装置。
【請求項９】
回路基板と前記回路基板の実装面に実装されたコネクタとを備えるデータ記憶装置であって、前記コネクタは、
前記回路基板に接続される接続端子と、
前記接続端子を保持するコネクタ本体部と、
前記実装面の法線方向と前記コネクタの接続方向とに垂直な方向における前記コネクタ本体部の中心に対する両側にそれぞれ設けられたストッパと、を備え、
前記ストッパのそれぞれは、前記法線方向に突起し、前記回路基板の前記接続方向における端部よりも、前記回路基板と反対側に位置する、
データ記憶装置。
【請求項１０】
前記実装面の法線方向と前記コネクタの接続方向とに垂直な方向における前記コネクタ本体部の中心に対する両側にそれぞれ設けられたボスをさらに備え、
前記ボスのそれぞれは、前記法線方向に突起して前記回路基板に設けられた穴に嵌合し、
前記接続方向における前記ボスの長さは、前記法線方向と前記接続方向とに垂直な方向における長さより長い、請求項９に記載のデータ記憶装置。
【請求項１１】
データ記憶装置の回路基板と前記回路基板の実装面に実装された、データ記憶装置のコネクタであって、
前記実装面の法線方向に突起して前記回路基板に設けられた穴に嵌合し、前記コネクタの接続方向における長さが前記法線方向と前記接続方向とに垂直な方向における長さより長いボスと、
前記法線方向に突起し、前記回路基板の前記接続方向における端部よりも、前記回路基板と反対側に位置するストッパと、を備え、
前記ボスと前記ストッパとは、前記実装面の法線方向と前記コネクタの接続方向とに垂直な方向における前記コネクタ本体部の中心に対する両側にそれぞれ設けられた、データ記憶装置のコネクタ。
【発明の詳細な説明】
【技術分野】
【０００１】
本発明は、データ記憶装置とそのデータ記憶装置に配設されたコネクタに関する。特に、コネクタ接続を行う際に回路基板にかかるストレスを低減することができる係止部を有するコネクタとそのコネクタを配設したデータ記憶装置に関する。
【背景技術】
【０００２】
光ディスクや磁気テープなどの様々な態様のメディアを使用するデータ記憶装置が知られている。その中で、ハード・ディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
以上のような用途にあわせて、いくつかの異なる大きさと形状を有するＨＤＤが開発されてきている。これに伴い、ＨＤＤに配設されるコネクタもいくつかの異なる形状を持つものが開発されている。特に、２．５インチサイズのＨＤＤはノートブック型のＰＣ等に用いられ、重量に対する制限などからコネクタが金属ではなく、樹脂によって形成されてきている。
【０００４】
このような用途のために開発されたコネクタ９０の概略段面図を図４に示す。図４（ａ）は、コネクタ９０とＨＤＤ本体内の回路基板が接続されたときの回路基板とは反対の方向から見た断面図であり、図４（ｂ）は、ピン９１の突出方向とコネクタ９０の長手方向とに垂直な方向から見た断面図である。コネクタ９０はＨＤＤ本体内の回路基板に配設されている。また、コネクタ９０には、ピン９１とそのピン９１それぞれに対応する接続端子９２が設けられている。コネクタ９０とＨＤＤ外部におけるインターフェイスとが接続されたときに、ピン９１とＨＤＤ外部におけるインターフェイスの端子とが電気接続されることによって、信号のやり取りを行っている。また、接続端子９２はＨＤＤ本体内の回路基板と半田等によって、電気が流れることができるように接続をとることによって、コネクタ９０を通して入出力される電気信号がやり取りされる。
【０００５】
また、コネクタ９０には、コネクタ９０が回路基板に取付けられるときの位置決めを行うために、位置決め用突起部９３とラッチ９４が設けられている。一般的には、位置決め用突起部９３はコネクタ９０の端部に設けられており、ラッチ９４はコネクタ９０の中心部に設けられている。また、位置決め用突起部９３は、コネクタ９０の基部にピン９１の突出方向とは逆方向に突出した部分を設け、その部分に設けることが一般的である。
【０００６】
コネクタ９０の回路基板に対する取り付けにおいては、コネクタ９０が回路基板に取付けられたときに、位置決め用突起部９３が位置する部分の回路基板に穴を開け、その穴に位置決め用突起部９３がはまることによってコネクタ９０の位置決めを行っている。また、コネクタ９０が回路基板に取付けられたときに、ラッチ９４が回路基板に対して引っかかるようになっている。以上のようなことによって、コネクタ９０の回路基板に対する位置が決められている。
【０００７】
また、コネクタ９０において、取り外しをする際やＨＤＤをコネクタ９０側から落としてしまったときに、コネクタ９０が回路基板から外れたり、回路基板とコネクタ９０が一緒に外れたりすることがあるために、コネクタ９０に係止部９５を設けている。これは、コネクタに係止部９５を設けることによって、コネクタ接続の際に生じる回路基板に対するストレスを軽減させている（例えば特許文献１）。
【特許文献１】特開平２００１−２８３９５８号公報
【発明の開示】
【発明が解決しようとする課題】
【０００８】
しかしながら、係止部９５を取り付けただけでは、コネクタ接続を乱雑にやった場合や、データ記憶装置を落としてしまった場合などの場合に、コネクタと回路基板との半田等による接続が破壊されてしまう危惧があった。本発明は、このような問題点を解決するためになされたものであり、コネクタ接続を行うときに十分な強度を持つデータ記憶装置のコネクタと、そのコネクタを用いたデータ記憶装置を提供することを目的とする。
【課題を解決するための手段】
【０００９】
本発明の一つの態様に係るデータ記憶装置において、回路基板と、外部のインターフェイスと接続するコネクタと、を有するデータ記憶装置であって、前記コネクタは、前記コネクタにかかる力に抗し、前記回路基板に前記コネクタが配設されるときに前記回路基板に設けられた穴にうめこまれる突起物であるボスを、前記回路基板の主面に垂直な方向と前記コネクタが前記インターフェイスと接続される方向とに垂直な方向の中心に対して両側に有し、前記ボスは、前記インターフェイスと前記コネクタとを接続する方向の長さが、前記回路基板の主面に垂直な方向と前記コネクタが前記インターフェイスと接続される方向とに垂直な方向の長さより長い長円の形状を有し、前記回路基板の主面に垂直な方向に突起している突起物に突起している突起物であるものである。上記のボスを有するコネクタを用いることによって、コネクタ接続を行うときに十分な強度を持つＨＤＤのコネクタをもつデータ記憶装置を提供することができる。
【００１０】
また、前記コネクタは、前記回路基板と前記コネクタとの位置関係を決定するためのラッチが設けられているとよい。ラッチを設けることによって、回路基板とコネクタの位置関係が決定されるためである。さらに、前記コネクタは、前記回路基板と前記コネクタとが接続されたときに、前記回路基板に設けられた穴にはまりこむことによって、前記コネクタとの位置関係を決定するための突起部を有するとよい。さらに、前記ボスは、前記ラッチや前記位置決め用突起よりも前記コネクタの端側に設けられているとよい。ボスをラッチや位置決め用突起よりもコネクタの端側に設けることによって、端側の部分がコネクタにかかる力に抗することができず、端側の部分が折れてしまう危惧をなくすことができるからである。さらにまた、前記突起部は、前記インターフェイスと前記コネクタが接続される方向に対して、前記ラッチとずれを有すると良い。このことによって、回路基板とコネクタとの全ての方向に対する位置関係を確実に決定することができるからである。
【００１１】
本発明の他の態様に係るデータ記憶装置において、回路基板と、外部のインターフェイスと接続するコネクタと、を有するデータ記憶装置であって、前記コネクタは、前記コネクタは、前記コネクタにかかる力に抗するストッパを、前記回路基板の主面に垂直な方向と前記コネクタが前記インターフェイスと接続される方向とに垂直な方向の中心に対して両側に有し、前記ストッパは、前記回路基板の主面に垂直な方向に突起している突起物であるものである。また、前記コネクタは、前記コネクタにかかる力に抗し、前記回路基板に前記コネクタが配設されるときに前記回路基板に設けられた穴にうめこまれる突起物であるボスを、前記回路基板の主面に垂直な方向と前記コネクタが前記インターフェイスと接続される方向とに垂直な方向の中心に対して両側にさらに有し、前記ボスは、前記インターフェイスと前記コネクタとを接続する方向の長さが、前記回路基板の主面に垂直な方向と前記コネクタが前記インターフェイスと接続される方向とに垂直な方向の長さより長い長円の形状を有し、前記回路基板の主面に垂直な方向に突起している突起物に突起している突起物であると良い。これは、ボスと位置決め用突起物の両方をコネクタに設けることによって、抗することができるコネクタにかかる力をより増大させることができる。
【００１２】
本発明の他の態様に係るデータ記憶装置のコネクタにおいて、回路基板を有するデータ記憶装置と前記データ記憶装置の外部のインターフェイスとを接続するデータ記憶装置のコネクタであって、前記コネクタは、前記コネクタにかかる力に抗し、前記回路基板に前記コネクタが配設されるときに前記回路基板に設けられた穴にうめこまれる突起物であるボスを、前記回路基板の主面に垂直な方向と前記コネクタが前記インターフェイスと接続される方向とに垂直な方向の中心に対して両側に有し、前記ボスは、前記インターフェイスと前記コネクタとを接続する方向の長さが、前記回路基板の主面に垂直な方向と前記コネクタが前記インターフェイスと接続される方向とに垂直な方向の長さより長い長円の形状を有し、前記回路基板の主面に垂直な方向に突起している突起物に突起している突起物であるものである。
【発明の効果】
【００１３】
本発明に係るデータ記憶装置のコネクタによれば、データ記憶装置のインターフェイスコネクタの接続を行うときやデータ記憶装置を落とした際に、大きな力がかかったとしても、データ記憶装置内に位置する回路基板とコネクタとの接続が破壊される可能性を低減することができる。このことによって、コネクタ接続を行うときに十分な強度を持つデータ記憶装置のコネクタとそのコネクタを用いたデータ記憶装置を提供することができる。
【発明を実施するための最良の形態】
【００１４】
以下、本発明を適用した具体的な実施の形態について、図面を参照しながら詳細に説明する。この実施の形態は、本発明を、データ記憶装置のコネクタに適用したものである。本発明におけるデータ記憶装置のコネクタは、コネクタ接続を行う際に回路基板にかかるストレスを低減することができる係止部を有している。以下の記述においては、データ記憶装置の一例として、ＨＤＤをあげて説明する。
【００１５】
図１は、ＨＤＤ本体１１の内部構成を模式的に示す平面図である。図１における左側に、回路基板１５に固定されたコネクタ２０が配置される。図１に示すように、ベース１１１内に、磁性層が磁化されることによってデータを記録する不揮発性の記録媒体である磁気ディスク１１３が配置されている。磁気ディスク１１３はスピンドル・モータ１１４に固定され、スピンドル・モータ１１４は磁気ディスク１１３を所定速度で回転する。ＨＤＤ本体１１は、１枚もしくは積層配置された複数の磁気ディスク１１３を備える。典型的には、磁気ディスク１１３両面にデータが記憶される。また、それぞれが各磁気ディスク１１３の各記録面に対応する複数のヘッド・スライダ１１５がアクチュエータ１１６に保持されている。
【００１６】
ヘッド・スライダ１１５は、ヘッドとヘッドがその表面に固定されたスライダとから構成されている。ヘッドは、ホストとの間で入出力されるデータについて、磁気ディスク１１３への書き込み及び／または読み出しを行う。ヘッドは、磁気ディスク１１３への記憶データに応じて電気信号を磁界に変換する記録素子及び／または磁気ディスク１１３からの磁界を電気信号に変換する再生素子を有している。
【００１７】
アクチュエータ１１６は、回動軸１１７に回動自在に保持されており、キャリッジ１１８とＶＣＭ（ボイス・コイル・モータ）１１９とを備えている。尚、ＶＣＭ１１９の一部が便宜上切り欠いて図示され、外形が破線で示されている。ＶＣＭ１１９は、回路基板１５上の回路からフラットコイル１２０に流される駆動信号に応じて、回動軸１１７を中心としてアクチュエータ１１６を回動し、回転する磁気ディスク１１３の上にヘッド・スライダ１１５を移動する。
【００１８】
アクチュエータ１１６がヘッド・スライダ１１５を磁気ディスク１１３表面の半径方向に沿って移動することによって、ヘッド・スライダ１１５が所望のトラックにアクセスすることができる。ヘッド・スライダ１１５は、磁気ディスク１１３に対向するスライダのＡＢＳ（Air Bearing Surface）面と回転している磁気ディスク１１３との間の空気の粘性による圧力が、アクチュエータ１１６によって磁気ディスク１１３方向に加えられる圧力とバランスすることによって、磁気ディスク１１３上を一定のギャップを置いて浮上する。
【００１９】
磁気ディスク１１３の回転が停止するときには、アクチュエータ１１６はヘッド・スライダ１１５を磁気ディスク１１３上からランプ機構１２１に退避させる。なお、この他、ヘッドがデータ書き込み／読み出し処理を行わない場合に、磁気ディスク１１３の内周に配置されているゾーンに退避するＣＳＳ（Contact Start and Stop）方式が知られている。
【００２０】
図２は、本実施形態に係るＨＤＤ（Hard Disk Drive）１の構成を示す分解斜視図である。ＨＤＤ１は、ＨＤＤ本体１１とＨＤＤ本体１１に実装される回路基板１５とを備えている。
【００２１】
ＨＤＤ本体１１は、ベース１１１とトップ・カバー１１２から構成されるエンクロージャ内に、各構成部品を収容している。ベース１１１はＨＤＤ１１の各構成要素を収容し、ベース１１１の上部開口を塞ぐトップ・カバー１１２とガスケット（不図示）を介して固定されることによって、ＨＤＤ本体１１の各構成要素を密閉状態で収容することができる。ベース１１１及びトップ・カバー１１２は、典型的には、アルミニウムやステンレスなどで形成されている。
【００２２】
回路基板１５はＨＤＤ本体１のベース１１１側に固定されている。典型的には、回路基板１５は、エポキシなどの樹脂で形成されている。また、ＨＤＤの耐衝撃性能を高め、外部からの衝撃によるハード・エラーの発生を効果的に抑制するために、ベース１１１と回路基板１５とは、複数のネジ３０によって固定されている。各ネジは、回路基板１５に形成された貫通穴を通り、ＨＤＤ本体１１の外側表面に形成されたネジ穴に螺合する。
【００２３】
回路基板１５上には、コネクタ２０が実装されている。コネクタ２０は、回路基板１５の一辺側に固定されている。図２は、パラレルＡＴＡのコネクタを例示している。この他、設計に応じて、シリアルＡＴＡなど他のプロトコルのコネクタを実装することができる。又、回路基板１５上にはＨＤＤ本体１１の制御及びホスト（不図示）とＨＤＤ１との間のデータ通信の制御を行う各種ＩＣなどの回路要素（不図示）が実装される。例えば、ＨＤＣ（Hard Disk Controller）／ＭＰＵ、リード／ライトチャネル、モータ・ドライバなどの各種ＩＣが、抵抗などの素子と共に、回路基板１５のＨＤＤ本体１１側（ベース１１１側）表面に実装される。
【００２４】
次に、本実施の形態に係るＨＤＤのコネクタ２０の概略断面図を図３に示す。図３（ａ）はコネクタ２０とＨＤＤ本体内の回路基板１５が接続されたときの回路基板１５とは反対の方向から見た断面図であり、図３（ｂ）はコネクタ２０の長手方向とピン２４の突出方向とに垂直な方向から見た断面図である。
【００２５】
ここで、コネクタ２０の方向を明確にするために方向の定義を行う。まず、コネクタ２０の長手方向をｘ方向とする。コネクタ２０の長手方向であるｘ方向に対して垂直であり、コネクタ２０に配設されたピン２４の突出方向または、接続端子２５の突出方向をｙ方向とする。このｙ方向は、コネクタ２０とＨＤＤに接続されるインターフェイス（図示せず）とが接続される方向である。さらに、ｘ方向とｙ方向とに垂直な方向をｚ方向とする。このｚ方向は、コネクタ２０が配設されたＨＤＤ本体１１の主面、ＨＤＤ本体１１内に配置された磁気ディスクの面に対して垂直な方向となっている。つまり、図３（ａ）はｙ方向から見た断面図であり、図３（ｂ）はｘ方向から見た断面図となっている。
【００２６】
コネクタ２０には、コネクタの基部２１に複数のピン２４と接続端子２５とが設けられている。ピン２４とピン２４それぞれに対応する接続端子２５とは、基部２１内にて半田等を用いることによって接続されている。このことによって、コネクタ２０がＨＤＤのインターフェイスと接続された際に、ＨＤＤ本体１１内の回路基板１５との電気信号のやり取りを行うことができるようになる。ここで、接続端子２５はコネクタの長手方向であるｘ方向に一列に並べられている。
【００２７】
また、ピン２４の突出方向はｙ方向であり、コネクタの長手方向であるｘ方向に対して垂直になっている。また、ピン２４はコネクタ２０のｘｚ面上に配置されている。一般的には、図３（ｂ）に示されるように２×２５ピンが配設され、コネクタ２０の中心部分と図３（ｂ）における右側部分が、コネクタ２０とＨＤＤのインターフェイスとが接続されるときに、コネクタ２０の向きが容易に決定できるように取り除かれている。なお、これは、コネクタ２０の一例であり、本発明はこのピン２４の配置に限定されるものではない。
【００２８】
また、コネクタ２０の形状は、基部２１と基部２１から突出した第１突出部２２と第２突出部２３とが設けられた形状になっている。第１突出部２２と第２突出部２３は２つ設けられており、基部２１の中心に対して対称的に設けられている。第１突出部２２と第２突出部２３とは、ピン２４が設けられた基部２１よりも端側に設けられており、接続端子２５が配設されている方向（ｙ方向）に突出している。第２突出部２３は、第１突出部２２よりもコネクタ２０の端側に設けられている。
【００２９】
さらに、コネクタの基部２１には位置決めを行うためのラッチ２１１が設けられている。ラッチ２１１はコネクタの基部２１上にｚ方向に突出するように設けられている。また、ラッチ２１１は、回路基板１５とコネクタ２０とが接続されたときの回路基板側のｚ方向の厚みが薄くなることによって、回路基板１５に引っかかりやすくなっている。ＨＤＤ本体１１内の回路基板１５とコネクタ２０とが接続されたときに、ラッチ２１１と回路基板に設けられた凹部とが合うことによってｙ方向の位置決めが行われている。このとき、ラッチ２１１は回路基板の凹部に引っかかる形となる。
【００３０】
また、回路基板１５とラッチ２１１が引っかかることによって、ｚ方向の位置決めが行われている。さらに、ラッチ２１１は好適には基部２１のｘ方向に対して中心の位置に設けられると良い。これは、位置決めを行う際に基部２１のｘ方向の中心にラッチ２１１が位置することによって、コネクタ２０のＨＤＤ本体１１内の回路基板１５とのｙｚ方向の位置関係を確実に決定することができるからである。
【００３１】
また、コネクタ２０のＨＤＤ本体１１内の回路基板１５との位置関係を決定するために第１突出部２２に位置決め用突起２２１を設けている。ＨＤＤ本体１１内の回路基板１５とコネクタ２０とが接続されたときに、この位置決め用突起２２１が、回路基板１５内に設けられた穴にはまり込むことによって、コネクタ２０の回路基板１５との位置決めが行われる。このとき、回路基板１５に設けられた穴と位置決め用突起２２１とがはまり込むため、コネクタ２０の回路基板１５に対するｚ方向の位置も決められることになる。また、位置決め用突起２２１は、ｙ方向に対してラッチ２１１とずれて設けられていると良い。このことによって、ｘｚ方向の位置決めだけでなくｙ方向の位置決めも行うことができる。
【００３２】
本実施の形態に係るＨＤＤのコネクタ２０においては、コネクタ２０の接続が行われるときやＨＤＤを落としてしまったときにコネクタ２０にかかる力によって、コネクタ２０と回路基板１５とを接続している半田等の接続が破壊されてしまうのを防ぐために、コネクタの基部２１にストッパ２１２が設けられている。
【００３３】
ストッパ２１２は、コネクタの基部２１に設けられた突起である。コネクタ２０に対する接続やＨＤＤが落ちた場合にコネクタ２０に力がかかった場合、ストッパ２１２が回路基板１５のコネクタ２０のピン２４が配設される側の端部に当接することによって、上記の力に抗することができるようになるため、コネクタ２０と回路基板１５との接続が破壊されてしまう可能性を低減できる。
【００３４】
また、ストッパ２１２は、コネクタ２０のｘ方向の中心に対して両側に各々１個設けられている。ここで、ストッパ２１２の個数は、多いほうがコネクタ２０にかけられた力を分散することができるため、コネクタの基部２１の強度が保たれる範囲であれば多いほうが好ましい。図３の場合、コネクタの基部２１のピン２４が配設されている部分の最端部に設けられている。コネクタ２０の着脱の際にｙ方向に一様に力がかかるとは限らず、一部分にかかることがあるため、ストッパ２１２はコネクタの基部２１のピン２４が配設されている部分の最端部に少なくとも設けられていると良い。
【００３５】
さらに、ストッパ２１２はｙ方向の長さに対してｘ方向の長さが長くなっている。これは、コネクタ２０に力がかかりストッパ２１２と回路基板１５とが当接したときに、ストッパ２１２にかかる力に抗するときに、当接する面積が大きいほうが抗することができる力を大きくすることができるからである。
【００３６】
また、ストッパ２１２のｚ方向の厚みは、コネクタ２０に接続される回路基板１５の、コネクタ２０に力がかかったときにストッパ２１２が当接する部分の厚みよりも厚いことが好ましい。これは、ストッパ２１２の厚みが十分でないと、コネクタ２０に大きな力がかかり回路基板１５がストッパ２１２を乗り越えてしまい、ストッパ２１２の役割を果たすことができなくなってしまうからである。
【００３７】
さらに、ストッパ２１２は、基部２１のｘ方向の中心に対して対称的に設けられていることが望ましい。これは、コネクタ２０にかけられた力がｙ方向に一様にかけられる場合のみではなく、ｘ方向に対して一部分のみに強い力がかけられる可能性が高く、その場合にも対応することが可能となるためである。
【００３８】
さらにまた、ストッパ２１２は、ラッチ２１２よりもｙ方向においてピン２４が配設されている方向に設けられることが好ましい。これは、コネクタ２０に大きな力がかかっていない通常のときには、ストッパ２１２は回路基板１５と接している必要はなく、大きな力がかかったときにストッパ２１２が回路基板１５に当接すればよいからである。つまり、回路基板１５側にストッパ２１２の受けを作成する必要性がなくなり、基板形成を容易に行うことができるようになる。
【００３９】
以上のようなストッパ２１２をコネクタ２０に設けることによって、コネクタ２０の接続が行われた場合や、ＨＤＤを落としてしまったときにコネクタ２０にかけられた力によって、コネクタ２０と回路基板１５との接続が破壊される可能性を低減することができる。
【００４０】
本実施の形態にかかるＨＤＤのコネクタにおいては、コネクタ２０の接続が行われるときやＨＤＤを落としてしまったときにコネクタ２０にかかる力によって、コネクタ２０と回路基板１５とを接続している半田等の接続が破壊されてしまうのを防ぐために、ボス２３１が第２突出部２３に設けられている。ボス２３１は、基部２１のｘ方向の中心に対して両側に位置する第２突出部２３のそれぞれに１個設けられている。図３の場合、第２突出部２３のピン２４が配設されている側にボス２３１は設けられている。
【００４１】
ボス２３１の形状は、ボス２３１のｙ方向の長さがｘ方向の長さよりも長い長円形をした突起物である。ここで、ボス２３１の形状は、基部２１のｘ方向の中心に対して左側と右側において同一である必要はない。図３の場合、第２突出部２３の強度から図３（ｂ）における左側のボス２３１のほうが右側のボス２３１よりも細長い長円形をしている。第２突出部２３の強度が保たれる範囲で、ボス２３１はできるだけｙ方向に長い形状を持つことが好ましい。
【００４２】
ボス２３１に対応する穴が回路基板１５には開けられており、コネクタ２０が回路基板１５と接続されたときに、前述の穴にボス２３１がはまり込むように形成されている。コネクタ２０の接続が行われるときやＨＤＤを落としてしまったときにコネクタ２０に大きな力がかかった場合には、ボス２３１は前述の回路基板１５の穴の部分で動くことができないため、この力に抗することができるようになる。また、コネクタ２０に力がかかる場合は、ｙ方向から、またはｘｙ方向からの力であり、ｙ方向の力が大きいと考えられるため、ボス２３１の形状をｙ方向の長さがｘ方向の長さよりも長い長円形にしている。
【００４３】
さらに、ボス２３１はラッチ２１１や位置決め用突起２２１よりもコネクタ２０の端側に設けられていることが望ましい。これは、ボス２３１が設けられている場所が、ラッチ２１１や位置決め用突起２２１よりもｘ方向の中心側であると、コネクタ２０の端側の部分に大きな力がかかったときに、ストッパ２１２やボス２３１に力がかかることによって、ｘ方向の中心側の部分は力に抗することができても、端側の部分がコネクタ２０にかかる力に抗することができず、端側の部分が折れてしまい、回路基板１５とコネクタ２０の接続部分を破壊してしまう可能性があるからである。
【００４４】
以上のようなボス２３１を設けることによって、コネクタ２０の接続が行われた場合や、ＨＤＤを落としてしまったときにコネクタ２０にかけられた力によって、コネクタ２０と回路基板１５との接続が破壊される可能性を低減することができる。
【００４５】
また、コネクタ２０にかけられた力に抗するために、第１突出部２２に設けられた位置決め用突起２２１の近傍にボス２３１とストッパ２１２を配置することが好ましい。これは、第１突出部２２によって回路基板１５とコネクタ２０との位置関係が決定されているために、ボス２３１とストッパ２１２との両方によって同時にコネクタ２０にかかった力に抗することができるため、コネクタ２０と回路基板１５との接続を破壊する可能性を顕著に低減することが可能となる。
【００４６】
本実施の形態に係るＨＤＤのコネクタ２０においては、ストッパ２１２またはボス２３１またはその両方をコネクタ２０に設けることによって、コネクタ２０の接続を行うときや、ＨＤＤを落としてしまったときに、コネクタ２０に大きな力がかかったとしても、コネクタ２０にかかった力に抗することができる。このことによって、コネクタ２０と回路基板１５との接続を破壊する可能性を顕著に低減した十分な強度を持つＨＤＤのコネクタを提供することができる。
【００４７】
なお、本発明は上述した実施の形態のみに限定されるものではなく、本発明の要旨を逸脱しない範囲において種々の変更が可能であることは勿論である。例えば、本実施の形態においては、コネクタに位置決め用のラッチを設けたが、ラッチが設けられないＨＤＤにおいても本発明は適用可能である。また、上記の記述においては、ＨＤＤを一例として示したが、本発明はＨＤＤのみに適用されるわけでなく、他のデータ記憶装置においても適用可能である。
【図面の簡単な説明】
【００４８】
【図１】ＨＤＤ本体１１の内部構成を模式的に示す平面図
【図２】本実施形態に係るＨＤＤ（Hard Disk Drive）１の構成を示す分解斜視図である
【図３】本実施の形態に係るＨＤＤのコネクタ２０の概略断面図
【図４】従来におけるＨＤＤのコネクタ９０の概略断面図
【符号の説明】
【００４９】
１  ＨＤＤ  １１  ＨＤＤ本体  １５  回路基板
２０  コネクタ  ２１  基部  ２１１  ラッチ  ２１２  ストッパー  ２２  第１突出部  ２２１  位置決め用突起  ２３  第２突出部  ２３１  ボス  ２４  ピン
２５  接続端子  ３０  ネジ
１１１  ベース  １１２  トップ・カバー  １１３  磁気ディスク
１１４  スピンドル・モータ  １１５  ヘッド・スライダ・アセンブリ
１１６  アクチュエータ  １１７  回動軸  １１８  キャリッジ
１２０  フラットコイル  １２１  ランプ機構
９０  コネクタ  ９１  ピン  ９２  接続端子  ９３  位置決め用突起部
９４  ラッチ  ９５  係止部
【図１】
2007149434.tif 000003
【図２】
2007149434.tif 000004
【図３】
2007149434.tif 000005
【図４】
2007149434.tif 000006